(57)【要約】  本開示のいくつかの態様は、ＤＭＲＳベースの送信をサポートするシステムのための技法を提供し、そのようなシステムが１次同期信号（ＰＳＳ）、２次同期信号（ＳＳＳ）または物理ブロードキャストチャネル（ＰＢＣＨ）との衝突を回避しつつ、ＤＭＲＳベースの送信（たとえば、ＥＰＤＣＣＨ）のためにサブフレーム０および５の中央の６個のＲＢにおけるリソースを少なくとも部分的に利用することを可能にし得る。
2015508255.tif 000002
【特許請求の範囲】
【請求項１】
ユーザ機器によるワイヤレス通信のための方法であって、
サブフレームにおける拡張された物理ダウンリンク制御チャネル（ＥＰＤＣＣＨ）の少なくとも１つの復号候補を決定することと、
前記少なくとも１つのＥＰＤＣＣＨ復号候補に対応するリソースが、前記サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定することと、
リソース衝突の可能性の前記決定に基づいて前記少なくとも１つのＥＰＤＣＣＨ復号候補を処理することと、
を備える方法。
【請求項２】
ＥＰＤＣＣＨリソースの構成を受信することと、
前記受信された構成に基づいて前記少なくとも１つのＥＰＤＣＣＨ復号候補を決定することと、
をさらに備える、請求項１に記載の方法。
【請求項３】
前記受信された構成に基づいて、前記少なくとも１つのＥＰＤＣＣＨ復号候補に対応する前記リソースを決定すること
をさらに備える、請求項２に記載の方法。
【請求項４】
前記リソース衝突の可能性の前記決定に少なくとも部分的に基づいて、前記少なくとも１つのＥＰＤＣＣＨ復号候補の有効性を決定することをさらに備える、請求項１に記載の方法。
【請求項５】
前記少なくとも１つのＥＰＤＣＣＨ復号候補の前記有効性を決定することは、
前記少なくとも１つのＥＰＣＤＤＨ復号候補に対応する前記リソースが、前記ＰＳＳ、ＳＳＳまたはＰＢＣＨのうちの少なくとも１つによって使用される前記リソースと衝突する可能性がない場合に、前記少なくとも１つのＥＰＤＣＣＨ復号候補を、有効な候補と宣言すること
を備える、請求項４に記載の方法。
【請求項６】
前記少なくとも１つのＥＰＤＣＣＨ復号候補を処理することは、
前記少なくとも１つのＥＰＤＣＣＨ復号候補が有効であると決定された場合に、前記少なくとも１つのＥＰＤＣＣＨ復号候補を監視し復号すること
を備える、請求項５に記載の方法。
【請求項７】
前記少なくとも１つのＥＰＤＣＣＨ復号候補の前記有効性を決定することは、
前記少なくとも１つのＥＰＤＣＣＨ復号候補に対応する前記リソースが、前記ＰＳＳ、ＳＳＳまたはＰＢＣＨのうちの少なくとも１つによって使用される前記リソースと衝突する可能性がある場合に、前記少なくとも１つのＥＰＤＣＣＨ復号候補を、無効な候補と宣言すること
を備える、請求項４に記載の方法。
【請求項８】
前記少なくとも１つのＥＰＤＣＣＨ復号候補を処理することは、
前記少なくとも１つのＥＰＤＣＣＨ復号候補が無効であると決定された場合に、前記少なくとも１つのＥＰＤＣＣＨ復号候補を監視することを省くこと
を備える、請求項７に記載の方法。
【請求項９】
前記少なくとも１つのＥＰＤＣＣＨ復号候補に対応する前記リソースが、前記ＰＳＳ、ＳＳＳまたはＰＢＣＨのうちの少なくとも１つを送信するために使用されるリソースと衝突する可能性があり得るかどうかを決定することは、
前記少なくとも１つのＥＰＤＣＣＨ復号候補に対応する前記リソースと前記ＰＳＳ、ＳＳＳまたはＰＢＣＨのうちの少なくとも１つを送信するために使用される前記リソースとの比較に基づいて、前記少なくとも１つのＥＰＤＣＣＨ復号候補および前記ＰＳＳ、ＳＳＳまたはＰＢＣＨのうちの少なくとも１つが同じリソースを使用するかどうかを決定すること
を備える、請求項１に記載の方法。
【請求項１０】
前記少なくとも１つのＥＰＤＣＣＨ復号候補に対応する前記リソースが、前記ＰＳＳ、ＳＳＳまたはＰＢＣＨのうちの少なくとも１つを送信するために使用されるリソースと衝突する可能性があり得るかどうかを決定することは、
ＥＰＤＣＣＨリソースに関連する物理リソースブロック（ＰＲＢ）ペアのセットと前記ＰＳＳ、ＳＳＳまたはＰＢＣＨのうちの少なくとも１つを送信するために使用されるＰＲＢペアのセットとの比較に基づいて、前記少なくとも１つのＥＰＤＣＣＨ復号候補および前記ＰＳＳ、ＳＳＳまたはＰＢＣＨのうちの少なくとも１つが同じＰＲＢペアを使用するかどうかを決定すること
を備える、請求項１に記載の方法。
【請求項１１】
少なくとも１つのＥＰＤＣＣＨ復号候補に対応する前記リソースは、
前記ＰＳＳ、ＳＳＳまたはＰＢＣＨのうちの少なくとも１つに割り当てられた少なくとも１つの物理リソースブロック（ＰＲＢ）ペアにおけるリソースが、ＥＰＤＣＣＨ送信のために割り当てられないように、および
前記ＰＳＳ、ＳＳＳまたはＰＢＣＨのうちの少なくとも１つに割り当てられていない少なくとも１つのＰＲＢペアにおけるリソースが、ＥＰＤＣＣＨ送信のために割り当てられるように、
前記ＰＳＳ、ＳＳＳまたはＰＢＣＨのうちの少なくとも１つの送信に使用されるＰＲＢペアのセットのうちの少なくとも１つのＰＲＢペアを含む、請求項１に記載の方法。
【請求項１２】
前記少なくとも１つのＥＰＤＣＣＨ復号候補は、復調基準信号（ＤＭＲＳ）に基づいており、前記少なくとも１つのＥＰＤＣＣＨ復号候補に対応する前記リソースは、前記ＤＭＲＳによって使用されるリソースを備える、請求項１に記載の方法。
【請求項１３】
２つのスロットからなるサブフレームにおいて、前記ＤＭＲＳは、前記ＰＳＳまたはＳＳＳのうちの少なくとも１つと同じスロットにおいて前記ＰＳＳまたはＳＳＳのうちの前記少なくとも１つによって占められていない少なくとも１つのシンボルに位置づけられる、請求項１２に記載の方法。
【請求項１４】
前記ＤＭＲＳは、前記ＰＳＳまたはＳＳＳのうちの少なくとも１つによって占められていないシンボルにのみ位置づけられる、請求項１２に記載の方法。
【請求項１５】
前記ＤＭＲＳは少なくとも、レガシータイプのＰＳＳまたはＳＳＳのうちの少なくとも１つによって当初占められていた１つのシンボルに位置づけられる、請求項１２に記載の方法。
【請求項１６】
第１のキャリアで送信をスケジュールしている前記少なくとも１つのＥＰＤＣＣＨ復号候補は、前記第１のキャリアとは異なる第２のキャリアで送信される、請求項１に記載の方法。
【請求項１７】
前記少なくとも１つのＥＰＤＣＣＨ復号候補に対応する前記リソースは、少なくとも１つの物理リソースブロックペアを含む、請求項１に記載の方法。
【請求項１８】
前記ＰＳＳ、ＳＳＳまたはＰＢＣＨのうちの少なくとも１つを送信するために使用される前記リソースは、少なくとも１つの物理リソースブロックペアを含む、請求項１に記載の方法。
【請求項１９】
ワイヤレス通信のための装置であって、
サブフレームにおける拡張された物理ダウンリンク制御チャネル（ＥＰＤＣＣＨ）の少なくとも１つの復号候補を決定するための手段と、
前記少なくとも１つのＥＰＤＣＣＨ復号候補に対応するリソースが、前記サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定するための手段と、
リソース衝突の可能性の前記決定に基づいて前記少なくとも１つのＥＰＤＣＣＨ復号候補を処理するための手段と、
を備える装置。
【請求項２０】
前記リソース衝突の可能性の前記決定に少なくとも部分的に基づいて、前記少なくとも１つのＥＰＤＣＣＨ復号候補の有効性を決定するための手段
をさらに備える、請求項１９に記載の装置。
【請求項２１】
前記少なくとも１つのＥＰＤＣＣＨ復号候補の前記有効性を決定するための前記手段は、
前記少なくとも１つのＥＰＣＤＤＨ復号候補に対応する前記リソースが、前記ＰＳＳ、ＳＳＳまたはＰＢＣＨのうちの少なくとも１つによって使用される前記リソースと衝突する可能性がない場合に、前記少なくとも１つのＥＰＤＣＣＨ復号候補を有効な候補と宣言する
ように構成される、請求項２０に記載の装置。
【請求項２２】
前記少なくとも１つのＥＰＤＣＣＨ復号候補を処理するための前記手段は、
前記少なくとも１つのＥＰＤＣＣＨ復号候補が有効であると決定された場合に、前記少なくとも１つのＥＰＤＣＣＨ復号候補を監視し復号する
ように構成される、請求項２１に記載の装置。
【請求項２３】
前記少なくとも１つのＥＰＤＣＣＨ復号候補の前記有効性を決定するための前記手段は、
前記少なくとも１つのＥＰＤＣＣＨ復号候補に対応する前記リソースが、前記ＰＳＳ、ＳＳＳまたはＰＢＣＨのうちの少なくとも１つによって使用される前記リソースと衝突する可能性がある場合に、前記少なくとも１つのＥＰＤＣＣＨ復号候補を無効な候補と宣言する
ように構成される、請求項２０に記載の装置。
【請求項２４】
前記少なくとも１つのＥＰＤＣＣＨ復号候補を処理するための前記手段は、
前記少なくとも１つのＥＰＤＣＣＨ復号候補が無効であると決定された場合に、前記少なくとも１つのＥＰＤＣＣＨ復号候補を監視することを省く
ように構成される、請求項２３に記載の装置。
【請求項２５】
前記少なくとも１つのＥＰＤＣＣＨ復号候補は、復調基準信号（ＤＭＲＳ）に基づいており、前記少なくとも１つのＥＰＤＣＣＨ復号候補に対応する前記リソースは、前記ＤＭＲＳによって使用されるリソースを備える、請求項１９に記載の装置。
【請求項２６】
２つのスロットからなるサブフレームにおいて、前記ＤＭＲＳは、前記ＰＳＳまたはＳＳＳのうちの少なくとも１つと同じスロットにおいて前記ＰＳＳまたはＳＳＳのうちの前記少なくとも１つによって占められていない少なくとも１つのシンボルに位置づけられる、請求項２５に記載の装置。
【請求項２７】
前記ＤＭＲＳは、前記ＰＳＳまたはＳＳＳのうちの少なくとも１つによって占められていないシンボルにのみ位置づけられる、請求項２５に記載の装置。
【請求項２８】
前記ＤＭＲＳは少なくとも、レガシータイプのＰＳＳまたはＳＳＳのうちの少なくとも１つによって当初占められていた１つのシンボルに位置づけられる、請求項２５に記載の装置。
【請求項２９】
第１のキャリアで送信をスケジュールしている前記少なくとも１つのＥＰＤＣＣＨ復号候補は、前記第１のキャリアとは異なる第２のキャリアで送信される、請求項１９に記載の装置。
【請求項３０】
ワイヤレス通信のための装置であって、
サブフレームにおける拡張された物理ダウンリンク制御チャネル（ＥＰＤＣＣＨ）の少なくとも１つの復号候補を決定することと、
前記少なくとも１つのＥＰＤＣＣＨ復号候補に対応するリソースが、前記サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定することと、
リソース衝突の可能性の前記決定に基づいて前記少なくとも１つのＥＰＤＣＣＨ復号候補を処理することと、
を行うように構成された少なくとも１つのプロセッサと、
前記少なくとも１つのプロセッサに結合されたメモリと
を備える装置。
【請求項３１】
ワイヤレス通信のためのコンピュータプログラム製品であって、
サブフレームにおける拡張された物理ダウンリンク制御チャネル（ＥＰＤＣＣＨ）の少なくとも１つの復号候補を決定することと、
前記少なくとも１つのＥＰＤＣＣＨ復号候補に対応するリソースが、前記サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定することと、
リソース衝突の可能性の前記決定に基づいて前記少なくとも１つのＥＰＤＣＣＨ復号候補を処理することと、
を行うためのコードを備えるコンピュータ可読媒体を備えるコンピュータプログラム製品。
【請求項３２】
基地局（ＢＳ）によるワイヤレス通信のための方法であって、
サブフレームにおける拡張された物理ダウンリンク制御チャネル（ＥＰＤＣＣＨ）を送信する場合の復号候補のセットの各々に関する衝突可能性状態を決定することと、
前記決定に基づいて前記セットから少なくとも１つのＥＰＤＣＣＨ復号候補を選択することと、
前記選択されたＥＰＤＣＣＨ復号候補でＥＰＤＣＣＨを送信することと
を備える方法。
【請求項３３】
前記選択することは、前記候補に対応するリソースが、前記サブフレームにおけるＰＳＳ、ＳＳＳまたはＰＢＣＨのうちの少なくとも１つを送信するために使用されるリソースと衝突しない場合に、前記少なくとも１つのＥＰＤＣＣＨ復号候補を選択することを備える、請求項３２に記載の方法。
【請求項３４】
前記決定することは、
前記ＥＰＤＣＣＨ復号候補に対応する前記リソースと前記ＰＳＳ、ＳＳＳまたはＰＢＣＨのうちの少なくとも１つを送信するために使用される前記リソースとの比較に基づいて、前記少なくとも１つのＥＰＤＣＣＨ復号候補および前記ＰＳＳ、ＳＳＳまたはＰＢＣＨのうちの少なくとも１つが同じリソースを使用するかどうかを決定すること
を備える、請求項３３に記載の方法。
【請求項３５】
前記決定することは、
ＥＰＤＣＣＨリソースに関連する物理リソースブロック（ＰＲＢ）ペアのセットと前記ＰＳＳ、ＳＳＳまたはＰＢＣＨのうちの少なくとも１つを送信するために使用されるＰＲＢペアのセットとの比較に基づいて、前記少なくとも１つのＥＰＤＣＣＨ復号候補および前記ＰＳＳ、ＳＳＳまたはＰＢＣＨのうちの少なくとも１つが同じＰＲＢペアを使用するかどうかを決定すること
を備える、請求項３３に記載の方法。
【請求項３６】
前記少なくとも１つのＥＰＤＣＣＨ復号候補に対応する前記リソースは、
前記ＰＳＳ、ＳＳＳまたはＰＢＣＨのうちの少なくとも１つに割り当てられた少なくとも１つの物理リソースブロック（ＰＲＢ）ペアにおけるリソースが、ＥＰＤＣＣＨ送信のために割り当てられないように、および、
前記ＰＳＳ、ＳＳＳまたはＰＢＣＨのうちの少なくとも１つに割り当てられていない少なくとも１つのＰＲＢペアにおけるリソースが、ＥＰＤＣＣＨ送信のために割り当てられるように、
前記ＰＳＳ、ＳＳＳまたはＰＢＣＨのうちの少なくとも１つの送信に使用されるＰＲＢペアのセットのうちの少なくとも１つのＰＲＢペアを含む、請求項３３に記載の方法。
【請求項３７】
前記少なくとも１つのＥＰＤＣＣＨ復号候補は、復調基準信号（ＤＭＲＳ）に基づいており、前記少なくとも１つのＥＰＤＣＣＨ復号候補に対応するリソースは、前記ＤＭＲＳによって使用されるリソースを備える、請求項３２に記載の方法。
【請求項３８】
２つのスロットからなるサブフレームにおいて、前記ＤＭＲＳは、前記ＰＳＳまたはＳＳＳのうちの少なくとも１つと同じスロットにおいて前記ＰＳＳまたはＳＳＳのうちの前記少なくとも１つによって占められていない少なくとも１つのシンボルに位置づけられる、請求項３７に記載の方法。
【請求項３９】
前記ＤＭＲＳは、前記ＰＳＳまたはＳＳＳのうちの少なくとも１つによって占められていないシンボルにのみ位置づけられる、請求項３７に記載の方法。
【請求項４０】
前記ＤＭＲＳは少なくとも、レガシータイプのＰＳＳまたはＳＳＳのうちの少なくとも１つによって当初占められていた１つのシンボルに位置づけられる、請求項３７に記載の方法。
【請求項４１】
各ＥＰＤＣＣＨ復号候補に対応するリソースは、少なくとも１つの物理リソースブロックペアを含む、請求項３２に記載の方法。
【請求項４２】
前記ＰＳＳ、ＳＳＳまたはＰＢＣＨのうちの少なくとも１つを送信するために使用されるリソースは、少なくとも１つの物理リソースブロックペアを含む、請求項３２に記載の方法。
【請求項４３】
ワイヤレス通信のための装置であって、
サブフレームにおける拡張された物理ダウンリンク制御チャネル（ＥＰＤＣＣＨ）を送信する場合の復号候補のセットの各々に関する衝突可能性状態を決定するための手段と、
前記決定に基づいて前記セットから少なくとも１つのＥＰＤＣＣＨ復号候補を選択するための手段と、
前記選択されたＥＰＤＣＣＨ復号候補でＥＰＤＣＣＨを送信するための手段と
を備える装置。
【請求項４４】
選択するための前記手段は、前記候補に対応するリソースが、前記サブフレームにおけるＰＳＳ、ＳＳＳまたはＰＢＣＨのうちの少なくとも１つを送信するために使用されるリソースと衝突しない場合に、前記少なくとも１つのＥＰＤＣＣＨ復号候補を選択するように構成される、請求項４３に記載の装置。
【請求項４５】
決定するための前記手段は、
前記ＥＰＤＣＣＨ復号候補に対応する前記リソースと前記ＰＳＳ、ＳＳＳまたはＰＢＣＨのうちの少なくとも１つを送信するために使用される前記リソースとの比較に基づいて、前記少なくとも１つのＥＰＤＣＣＨ復号候補および前記ＰＳＳ、ＳＳＳまたはＰＢＣＨのうちの少なくとも１つが同じリソースを使用するかどうかを決定する
ように構成される、請求項４４に記載の装置。
【請求項４６】
決定するための前記手段は、
ＥＰＤＣＣＨリソースに関連する物理リソースブロック（ＰＲＢ）ペアのセットと前記ＰＳＳ、ＳＳＳまたはＰＢＣＨのうちの少なくとも１つを送信するために使用されるＰＲＢペアのセットとの比較に基づいて、前記少なくとも１つのＥＰＤＣＣＨ復号候補および前記ＰＳＳ、ＳＳＳまたはＰＢＣＨのうちの少なくとも１つが同じＰＲＢペアを使用するかどうかを決定する
ように構成される、請求項４４に記載の装置。
【請求項４７】
前記少なくとも１つのＥＰＤＣＣＨ復号候補に対応する前記リソースは、
前記ＰＳＳ、ＳＳＳまたはＰＢＣＨのうちの少なくとも１つに割り当てられた少なくとも１つの物理リソースブロック（ＰＲＢ）ペアにおけるリソースが、ＥＰＤＣＣＨ送信のために割り当てられないように、および、
前記ＰＳＳ、ＳＳＳまたはＰＢＣＨのうちの少なくとも１つに割り当てられていない少なくとも１つのＰＲＢペアにおけるリソースが、ＥＰＤＣＣＨ送信のために割り当てられるように、
前記ＰＳＳ、ＳＳＳまたはＰＢＣＨのうちの少なくとも１つの送信に使用されるＰＲＢペアのセットのうちの少なくとも１つのＰＲＢペアを含む、請求項４４に記載の装置。
【請求項４８】
前記少なくとも１つのＥＰＤＣＣＨ復号候補は、復調基準信号（ＤＭＲＳ）に基づいており、前記少なくとも１つのＥＰＤＣＣＨ復号候補に対応するリソースは、前記ＤＭＲＳによって使用されるリソースを備える、請求項４３に記載の装置。
【請求項４９】
２つのスロットからなるサブフレームにおいて、前記ＤＭＲＳは、前記ＰＳＳまたはＳＳＳのうちの少なくとも１つと同じスロットにおいて前記ＰＳＳまたはＳＳＳのうちの前記少なくとも１つによって占められていない少なくとも１つのシンボルに位置づけられる、請求項４８に記載の装置。
【請求項５０】
前記ＤＭＲＳは、前記ＰＳＳまたはＳＳＳのうちの少なくとも１つによって占められていないシンボルにのみ位置づけられる、請求項４８に記載の装置。
【請求項５１】
前記ＤＭＲＳは少なくとも、レガシータイプのＰＳＳまたはＳＳＳのうちの少なくとも１つによって当初占められていた１つのシンボルに位置づけられる、請求項４８に記載の装置。
【請求項５２】
ワイヤレス通信のための装置であって、
サブフレームにおける拡張された物理ダウンリンク制御チャネル（ＥＰＤＣＣＨ）を送信する場合の復号候補のセットの各々に関する衝突可能性状態を決定することと、
前記決定に基づいて前記セットから少なくとも１つのＥＰＤＣＣＨ復号候補を選択することと、
前記選択されたＥＰＤＣＣＨ復号候補でＥＰＤＣＣＨを送信することと、
を行うように構成された少なくとも１つのプロセッサと、
前記少なくとも１つのプロセッサに結合されたメモリと
を備える装置。
【請求項５３】
ワイヤレス通信のためのコンピュータプログラム製品であって、
サブフレームにおける拡張された物理ダウンリンク制御チャネル（ＥＰＤＣＣＨ）を送信する場合の復号候補のセットの各々に関する衝突可能性状態を決定することと、
前記決定に基づいて前記セットから少なくとも１つのＥＰＤＣＣＨ復号候補を選択することと、
前記選択されたＥＰＤＣＣＨ復号候補でＥＰＤＣＣＨを送信することと、
を行うためのコードを備えるコンピュータ可読媒体を備えるコンピュータプログラム製品。
【発明の詳細な説明】
【米国特許法第１１９条に基づく優先権の主張】
【０００１】
[0001]本特許出願は、本出願の譲受人に譲渡され、参照により本明細書に明確に組み込まれる、２０１２年２月７日に出願された「ＩＮＴＥＲＡＣＴＩＯＮ  ＯＦ  ＥＰＤＣＣＨ  ＷＩＴＨ  ＰＢＣＨ／ＰＳＳ／ＳＳＳ  ＩＮ  ＬＴＥ−Ａ」と題する米国仮出願第６１／５９６，０３６号の優先権を主張する。
【技術分野】
【０００２】
[0002]本開示のいくつかの態様は、一般にワイヤレス通信に関し、より詳細には、拡張された物理ダウンリンク制御チャネル（ＥＰＤＣＣＨ）のためにリソースを割り振るための技法に関する。
【背景技術】
【０００３】
[0003]ワイヤレス通信ネットワークは、音声、ビデオ、パケットデータ、メッセージング、ブロードキャストなどのような様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は、基地局からＵＥへの通信リンクを指し、アップリンク（または逆方向リンク）は、ＵＥから基地局への通信リンクを指す。
【０００５】
[0005]基地局は、ＵＥにダウンリンク上でデータと制御情報とを送信することができ、かつ／またはＵＥからアップリンク上でデータと制御情報とを受信することができる。ダウンリンク上では、基地局からの送信は、ネイバー（近隣）基地局からの送信による干渉を観測することがある。アップリンク上では、ＵＥからの送信は、ネイバー基地局と通信する他のＵＥからの送信に対して干渉を引き起こす可能性がある。干渉は、ダウンリンクとアップリンクの両方でパフォーマンスを劣化させることがある。
【発明の概要】
【０００６】
[0006]本開示のいくつかの態様は、ユーザ機器（ＵＥ）によるワイヤレス通信の方法を提供する。本方法は、概して、サブフレームにおける拡張された物理ダウンリンク制御チャネル（ＥＰＤＣＣＨ）の少なくとも１つの復号候補を決定することと、少なくとも１つのＥＰＤＣＣＨ復号候補に対応するリソースが、サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定することと、リソース衝突の可能性の決定に基づいて少なくとも１つのＥＰＤＣＣＨ復号候補を処理することと、を含む。
【０００７】
[0007]本開示のいくつかの態様は、ワイヤレス通信のための装置を提供する。本装置は、概して、サブフレームにおける拡張された物理ダウンリンク制御チャネル（ＥＰＤＣＣＨ）の少なくとも１つの復号候補を決定するための手段と、少なくとも１つのＥＰＤＣＣＨ復号候補に対応するリソースが、サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定するための手段と、リソース衝突の可能性の決定に基づいて少なくとも１つのＥＰＤＣＣＨ復号候補を処理するための手段と、を含む。
【０００８】
[0008]本開示のいくつかの態様は、ワイヤレス通信のための装置を提供する。本装置は概して、少なくとも１つのプロセッサと、少なくとも１つのプロセッサに結合されたメモリとを含む。少なくとも１つのプロセッサは、概して、サブフレームにおける拡張された物理ダウンリンク制御チャネル（ＥＰＤＣＣＨ）の少なくとも１つの復号候補を決定することと、少なくとも１つのＥＰＤＣＣＨ復号候補に対応するリソースが、サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定することと、リソース衝突の可能性の決定に基づいて少なくとも１つのＥＰＤＣＣＨ復号候補を処理することと、を行うように構成される。
【０００９】
[0009]本開示のいくつかの態様は、ワイヤレス通信のためのコンピュータプログラム製品を提供する。本コンピュータプログラム製品は、概して、サブフレームにおける拡張された物理ダウンリンク制御チャネル（ＥＰＤＣＣＨ）の少なくとも１つの復号候補を決定することと、少なくとも１つのＥＰＤＣＣＨ復号候補に対応するリソースが、サブフレームにおける１次同期信号（ＰＳＳ）、２次同期信号（ＳＳＳ）または物理ブロードキャストチャネル（ＰＢＣＨ）のうちの少なくとも１つを送信するために使用されるリソースと衝突する可能性があり得るかどうかを決定することと、リソース衝突の可能性の決定に基づいて少なくとも１つのＥＰＤＣＣＨ復号候補を処理することと、を行うためのコードを備えるコンピュータ可読媒体を含む。
【００１０】
[0010]本開示のいくつかの態様は、基地局（ＢＳ）によるワイヤレス通信のための方法を提供する。本方法は、概して、サブフレームにおける拡張された物理ダウンリンク制御チャネル（ＥＰＤＣＣＨ）を送信する場合の復号候補のセットの各々に関する衝突可能性状態を決定することと、決定に基づいてセットから少なくとも１つのＥＰＤＣＣＨ復号候補を選択することと、選択されたＥＰＤＣＣＨ復号候補でＥＰＤＣＣＨを送信することと、を含む。
【００１１】
[0011]本開示のいくつかの態様は、ワイヤレス通信のための装置を提供する。本装置は、概して、サブフレームにおける拡張された物理ダウンリンク制御チャネル（ＥＰＤＣＣＨ）を送信する場合の復号候補のセットの各々に関する衝突可能性状態を決定するための手段と、決定に基づいてセットから少なくとも１つのＥＰＤＣＣＨ復号候補を選択するための手段と、選択されたＥＰＤＣＣＨ復号候補でＥＰＤＣＣＨを送信するための手段と、を含む。
【００１２】
[0012]本開示のいくつかの態様は、ワイヤレス通信のための装置を提供する。本装置は、概して、少なくとも１つのプロセッサと、少なくとも１つのプロセッサに結合されたメモリと、を含む。少なくとも１つのプロセッサは概して、サブフレームにおける拡張された物理ダウンリンク制御チャネル（ＥＰＤＣＣＨ）を送信する場合の復号候補のセットの各々に関する衝突可能性状態を決定することと、決定に基づいてセットから少なくとも１つのＥＰＤＣＣＨ復号候補を選択することと、選択されたＥＰＤＣＣＨ復号候補でＥＰＤＣＣＨを送信することと、を行うように構成される。
【００１３】
[0013]本開示のいくつかの態様は、ワイヤレス通信のためのコンピュータプログラム製品を提供する。本コンピュータプログラム製品は、概して、サブフレームにおける拡張された物理ダウンリンク制御チャネル（ＥＰＤＣＣＨ）を送信する場合の復号候補のセットの各々に関する衝突可能性状態を決定することと、決定に基づいてセットから少なくとも１つのＥＰＤＣＣＨ復号候補を選択することと、選択されたＥＰＤＣＣＨ復号候補でＥＰＤＣＣＨを送信することと、を行うためのコードを備えるコンピュータ可読媒体を含む。
【図面の簡単な説明】
【００１４】
【図１】[0014]本開示のいくつかの態様による、ワイヤレス通信ネットワークの一例を概念的に示すブロック図。
【図２】[0015]本開示のいくつかの態様による、ワイヤレス通信ネットワークにおけるフレーム構造の一例を概念的に示すブロック図。
【図２Ａ】[0016]本開示のいくつかの態様による、Ｌｏｎｇ  Ｔｅｒｍ  Ｅｖｏｌｕｔｉｏｎ（ＬＴＥ）におけるアップリンクのための例示的なフォーマットを示す図。
【図３】[0017]本開示のいくつかの態様による、ワイヤレス通信ネットワークにおけるユーザ機器デバイス（ＵＥ）と通信するノードＢの一例を概念的に示すブロック図。
【図４】[0018]本開示のいくつかの態様による、通常のサイクリックプレフィックスの場合におけるＲｅｌ−１０で定義されるＤＭＲＳパターンを示す図。
【図５】[0019]本開示のいくつかの態様による、ＬＴＥフレームにおけるＰＳＳ、ＳＳＳおよびＰＢＣＨに関するリソース構成を示す図。
【図６】[0020]本開示のいくつかの態様による、ＥＰＤＣＣＨを監視し復号するためにユーザ機器（ＵＥ）によって実行され得る例示的な動作を示す図。
【図７】[0021]本開示のいくつかの態様による、ＥＰＤＣＣＨを送信するために基地局（ＢＳ）によって実行され得る例示的な動作を示す図。
【詳細な説明】
【００１５】
[0022]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ  ＣＤＭＡ（ＷＣＤＭＡ（登録商標））とＣＤＭＡの他の変形態とを含む。ｃｄｍａ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥ／ＬＴＥ−Ａに関して説明し、以下の説明の大部分でＬＴＥ／ＬＴＥ−Ａ用語を使用する。
【００１６】
例示的なワイヤレスネットワーク
[0023]図１に、ワイヤレス通信ネットワーク１００を示し、これはＬＴＥネットワークであり得る。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ１１０は、特定の地理的エリアに対して通信カバレージを提供することができる。３ＧＰＰにおいて、「セル」という用語は、この用語が使用される状況に応じて、ｅＮＢのカバレージエリアおよび／またはこのカバレージエリアにサービスするｅＮＢサブシステムを指すことがある。
【００１７】
[0024]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅＮＢはマクロｅＮＢ（すなわち、マクロ基地局）と呼ばれることがある。ピコセルのためのｅＮＢはピコｅＮＢ（すなわち、ピコ基地局）と呼ばれることがある。フェムトセルのためのｅＮＢはフェムトｅＮＢ（すなわち、フェムト基地局）またはホームｅＮＢと呼ばれることがある。図１に示す例では、ｅＮＢ１１０ａ、１１０ｂ、および１１０ｃは、それぞれマクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートすることができる。
【００１８】
[0025]ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送信する局である。中継局はまた、他のＵＥに対する送信を中継するＵＥ（たとえば、ＵＥ中継局）とすることができる。図１に示す例では、中継局１１０ｒは、ｅＮＢ１１０ａとＵＥ  １２０ｒとの間の通信を容易にするために、ｅＮＢ１１０ａおよびＵＥ１２０ｒと通信し得る。中継局は、リレーｅＮＢ、リレーなどと呼ばれることもある。
【００１９】
[0026]ワイヤレスネットワーク１００は、様々なタイプのｅＮＢ、たとえば、マクロｅＮＢ、ピコｅＮＢ、フェムトｅＮＢ、リレーなどを含む異種ネットワーク（ＨｅｔＮｅｔ）であり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２０】
[0027]ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００２１】
[0028]ネットワークコントローラ１３０は、ｅＮＢのセットに結合し、これらのｅＮＢの協調および制御を行い得る。ネットワークコントローラ１３０は、バックホールを介してｅＮＢ１１０と通信し得る。ｅＮＢ１１０はまた、たとえば、直接、またはワイヤレスバックホールもしくは有線バックホールを介して間接的に、互いに通信し得る。
【００２２】
[0029]ＵＥ１２０（たとえば、１２０ｘ、１２０ｙ）は、ワイヤレスネットワーク１００全体にわたって分散され得、各ＵＥは、固定でも移動でもよい。ＵＥは、端末、移動局、加入者ユニット、局などと呼ばれることもある。ＵＥは、セルラー電話、スマート電話、携帯情報端末（ＰＤＡ）、ワイヤレスモデム、ワイヤレス通信デバイス、ハンドヘルドデバイス、ラップトップ／ノートブックコンピュータ、コードレス電話、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥにサービスするように指定されたｅＮＢであるサービングｅＮＢとの間の所望の送信を示す。両矢印付きの破線は、ＵＥとｅＮＢとの間の干渉送信を示す。いくつかの態様の場合、ＵＥは、ＬＴＥリリース１０ＵＥを含み得る。
【００２３】
[0030]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送信される。隣接するサブキャリア間の間隔は固定とすることができ得、サブキャリアの総数（Ｋ）はシステム帯域幅に依存することができる。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２４】
[0031]図２に、ＬＴＥにおいて使用されるフレーム構造を示す。ダウンリンクの送信タイムラインは、無線フレームの単位に区分され得る。各無線フレームは、所定の持続時間（たとえば、１０ミリ秒（ｍｓ））を有してよく、０から９のインデックスをもつ１０個のサブフレームに区分され得る。各サブフレームは、２個のスロットを含み得る。したがって、各無線フレームは、０から１９のインデックスをもつ２０個のスロットを含み得る。各スロットは、Ｌ個のシンボル期間、たとえば、（図２に示すように）通常のサイクリックプレフィックスに対するＬ＝７個のシンボル期間、または拡張されたサイクリックプレフィックスに対するＬ＝６個のシンボル期間を含み得る。各サブフレーム中の２Ｌ個のシンボル期間には、０から２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２５】
[0032]ＬＴＥでは、ｅＮＢは、ｅＮＢ中の各セルについて１次同期信号（ＰＳＳ）と２次同期信号（ＳＳＳ）とを送り得る。１次同期信号および２次同期信号は、図２に示すように、それぞれ、通常のサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２６】
[0033]ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ３６．２１１に記載されている。
【００２７】
[0034]ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャストでＰＳＳ、ＳＳＳ、ＰＢＣＨ、ＰＣＦＩＣＨ、およびＰＨＩＣＨを送り得、特定のＵＥにユニキャストでＰＤＣＣＨを送り得、また、特定のＵＥにユニキャストでＰＤＳＣＨを送り得る。
【００２８】
[0035]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間中に利用可能なＲＥＧから選択され得る、９個、１８個、３２個、または６４個のＲＥＧを占有し得る。ＲＥＧのいくつかの組合せのみがＰＤＣＣＨに対して可能にされ得る。
【００２９】
[0036]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００３０】
[0037]図２Ａに、ＬＴＥにおけるアップリンクのための例示的なフォーマット２００Ａを示す。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図２Ａの設計は、データセクション中の連続するサブキャリアのすべてを単一のＵＥに割り当てることを可能にし得る連続サブキャリアを含むデータセクションを生じさせる。
【００３１】
[0038]ＵＥには、ｅＮＢに制御情報を送信するために制御セクション中のリソースブロックが割り当てられ得る。ＵＥには、ｅＮＢにデータを送信するためにデータセクション中のリソースブロックも割り当てられ得る。ＵＥは、制御セクション中の割り当てられたリソースブロック上の物理アップリンク制御チャネル（ＰＵＣＣＨ：Physical Uplink Control Channel）２１０ａ、２１０ｂ中で制御情報を送信し得る。ＵＥは、データセクション中の割り当てられたリソースブロック上の物理アップリンク共有チャネル（ＰＵＳＣＨ：Physical Uplink Shared Channel）２２０ａ、２２０ｂ中でデータのみまたはデータと制御情報の両方を送信し得る。アップリンク送信は、サブフレームの両方のスロットにわたり得、図２Ａに示すように周波数全体にわたってホッピングし得る。
【００３２】
[0039]ＵＥは、複数のｅＮＢのカバレージ内にあり得る。そのＵＥにサービスするために、これらのｅＮＢのうちの１つが選択され得る。サービングｅＮＢは、受信電力、経路損失、信号対雑音比（ＳＮＲ）など、様々な基準に基づいて選択され得る。
【００３３】
[0040]ＵＥは、ＵＥが１つまたは複数の干渉ｅＮＢからの高干渉を観測し得る支配的干渉シナリオにおいて動作し得る。支配的干渉シナリオは、制限付き関連付けにより発生し得る。たとえば、図１では、ＵＥ  １２０ｙは、フェムトｅＮＢ１１０ｙに近接し得、ｅＮＢ１１０ｙについて高い受信電力を有し得る。しかしながら、ＵＥ１２０ｙは、制限付き関連付けによりフェムトｅＮＢ１１０ｙにアクセスすることができないことがあり、次いで、（図１に示すように）より低い受信電力をもつマクロｅＮＢ１１０ｃまたはやはりより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高干渉を観測し得、また、アップリンク上でｅＮＢ１１０ｙに高干渉を引き起こし得る。
【００３４】
[0041]支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ１２０ｘは、マクロｅＮＢ１１０ｂとピコｅＮＢ１１０ｘとを検出し得、ｅＮＢ１１０ｘについて、ｅＮＢ１１０ｂよりも低い受信電力を有し得る。とはいえ、ｅＮＢ１１０ｘの経路損失がマクロｅＮＢ１１０ｂの経路損失よりも低い場合、ＵＥ１２０ｘはピコｅＮＢ１１０ｘに接続することが望ましいことがある。これにより、ＵＥ１２０ｘの所与のデータレートに対してワイヤレスネットワークへの干渉が少なくなり得る。
【００３５】
[0042]いくつかの態様によれば、支配的干渉シナリオにおける通信は、異なるｅＮＢを異なる周波数帯域上で動作させることによってサポートされ得る。周波数帯域は、通信のために使用され得る周波数範囲であり、（ｉ）中心周波数および帯域幅、または（ｉｉ）より低い周波数およびより高い周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類され得る。
【００３６】
[0043]図３は、図１の基地局／ｅＮＢのうちの１つであり得る基地局またはｅＮＢ１１０および図１のＵＥのうちの１つであり得るＵＥ１２０の設計のブロック図である。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、Ｔ個のアンテナ３３４ａ〜３３４ｔを装備し得、ＵＥ１２０は、Ｒ個のアンテナ３５２ａ〜３５２ｒを装備し得、概して、Ｔ≧１およびＲ≧１である。
【００３７】
[0044]ｅＮＢ１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データと制御情報とを処理（たとえば、符号化およびシンボルマッピング）して、それぞれデータシンボルと制御シンボルとを取得し得る。送信プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに供給し得る。各変調器３３２は、（たとえば、ＯＦＤＭなどの）それぞれの出力シンボルストリームを処理して出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのＴ個のダウンリンク信号は、それぞれＴ個のアンテナ３３４ａ〜３３４ｔを介して送信され得る。
【００３８】
[0045]ＵＥ１２０において、アンテナ３５２ａ〜３５２ｒは、ｅＮＢ１１０からダウンリンク信号を受信し得、受信信号をそれぞれ復調器（ＤＥＭＯＤ）３５４ａ〜３５４ｒに供給し得る。各復調器３５４は、それぞれの受信信号を調整（たとえば、フィルタ処理、増幅、ダウンコンバート、およびデジタル化）して、入力サンプルを得ることができる。各復調器３５４はさらに、（たとえば、ＯＦＤＭなどの）入力サンプルを処理して受信シンボルを取得し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出されたシンボルを供給し得る。受信プロセッサ３５８は、検出されたシンボルを処理（たとえば、復調、デインターリーブ、および復号）し、ＵＥ１２０の復号されたデータをデータシンク３６０に与え、復号された制御情報をコントローラ／プロセッサ３８０に与え得る。
【００３９】
[0046]アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、ｅＮＢ１１０に送信され得る。ｅＮＢ１１０において、ＵＥ１２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ１２０によって送られた復号されたデータおよび制御情報が取得され得る。受信プロセッサ３３８は、復号されたデータをデータシンク３３９に与え、復号された制御情報をコントローラ／プロセッサ３４０に与え得る。
【００４０】
[0047]コントローラ／プロセッサ３４０および３８０は、それぞれｅＮＢ１１０における動作およびＵＥ１２０における動作を指示し得る。ｅＮＢ１１０におけるコントローラ／プロセッサ３４０、受信プロセッサ３３８ならびに／または他のプロセッサおよびモジュールは、図８の動作８００、および／または本明細書で説明する技法のための他のプロセスを実行または指示し得る。メモリ３４２および３８２はそれぞれ、ｅＮＢ１１０およびＵＥ１２０のためのデータおよびプログラムコードを記憶することができる。スケジューラ３４４は、ダウンリンク上および／またはアップリンク上でのデータ送信のためにＵＥをスケジュールし得る。ｅＮＢ１１０は、静的リソース区分情報（ＳＰＲＩ）３９０をＵＥ１２０に送信することができる。ＵＥ１２０は、サウンディング基準信号（ＳＲＳ）３９２をｅＮＢ１１０に送信することができる。
【００４１】
ＥＰＤＣＣＨのための例示的なリソース割振り
[0048]既存のワイヤレス通信システム（たとえば、いわゆる「レガシー」ＬＴＥ  Ｒｅｌ−８／９／１０システム）では、ＰＤＣＣＨはＬＴＥサブフレームの最初のいくつかのシンボルに位置する。ＰＤＣＣＨは、概してサブフレームの帯域幅全体に分散され、ＰＤＳＣＨとともに時分割多重化される。言い換えれば、サブフレームは制御領域およびデータ領域に効果的に分割され、ＰＤＣＣＨは制御領域の最初のいくつかのシンボルを占める。
【００４２】
[0049]拡張されたＰＤＣＣＨ（ＥＰＤＣＣＨ）は、たとえば、レガシーＰＤＣＣＨを補完または置換することができる非レガシーシステム（たとえば、Ｒｅｌ−１２）で定義され得る。送信されるサブフレームの制御領域を占めるレガシーＰＤＣＣＨとは異なり、ＥＰＤＣＣＨは概して、レガシーＰＤＳＣＨと同様に、サブフレームのデータ領域を占める。言い換えれば、従来型／レガシーＰＤＳＣＨ領域を占めるＥＰＤＣＣＨ領域が定義され得る。ＥＰＤＣＣＨ領域は、複数の連続または非連続リソースブロック（ＲＢ）からなることができ、それらのＲＢ内にＯＦＤＭシンボルのサブセットを占めることができる。
【００４３】
[0050]ＥＰＤＣＣＨは、レガシーＰＤＣＣＨに対するいくつかの利点を有し得る。たとえば、ＥＰＤＣＣＨは、制御チャネル容量の増加に寄与することができ（たとえばとして、およびに、レガシーＰＤＣＣＨの容量を増やすことができ）、周波数領域セル間干渉消去（ＩＣＩＣ：Inter-Cell Interference Cancellation）をサポートすることができ、制御チャネルリソースの空間再利用の改善を達成することができ、ビームフォーミングおよび／もしくはダイバーシティをサポートすることができ、新しいキャリアタイプ（ＮＣＴ：New Carrier Type）上およびマルチキャストブロードキャスト単一周波数ネットワーク（ＭＢＳＦＮ：Multicast-Broadcast Single Frequency Network）サブフレーム中で動作することができ、かつ／またはレガシーＵＥと同じキャリア上に共存することができる。
【００４４】
[0051]いくつかの態様によれば、ＵＥ固有の復調基準信号（ＤＭＲＳ）が、ＰＤＳＣＨ／ＥＰＤＣＣＨのコヒーレント復調のためのダウンリンクチャネル推定に使用され得る。いくつかの態様によれば、ＰＤＳＣＨ／ＥＰＤＣＣＨに良好なチャネル推定をもたらすために、ＰＤＳＣＨ／ＥＰＤＣＣＨを搬送する各ＲＢは、ＲＢ内に良好なチャネル推定に十分なＤＭＲＳを含むことができる。
【００４５】
[0052]図４に、本開示のいくつかの態様により使用され得る、通常のサイクリックプレフィックスの場合におけるＲｅｌ−１０で定義される例示的なＤＭＲＳパターン４００ａ〜ｃを示す。
【００４６】
[0053]図示のように、リソース要素（ＲＥ）４１０および４２０がＤＭＲＳ送信のために割り振られる。図示の例では、ＲＥ４１０はＣＤＭグループ１に使用され、ＲＥ４２０はＣＤＭグループ２に使用される。図４に示すように、ＤＭＲＳは、サブフレームの第１および第２のスロットの各々の第６および第７のシンボルを占める。
【００４７】
[0054]ＤＭＲＳパターン４００ａは、通常サブフレームに関するＤＭＲＳパターンを示している。本明細書で使用する通常サブフレームという用語は、ダウンリンクパイロットタイムスロット（ＤｗＰＴＳ）、すなわち、ＬＴＥが時分割複信（ＴＤＤ）で動作するときにいくつかのサブフレーム（たとえば、サブフレーム構成に応じて、無線フレームにおける第２の、または第７のサブフレーム）で一般に占める特別なダウンリンクタイムスロットを有しないサブフレームを指す、相対的な用語である。ＤｗＰＴＳサブフレームの長さは、異なるダウンリンク−アップリンク切替え期間を設定できるように可変である。
【００４８】
[0055]ＤＭＲＳパターン４００ｂは、１１個または１２個のシンボルを有するＤｗＰＴＳサブフレームに関する例示的なＤＭＲＳパターンを示している。この例に示すように、ＤＭＲＳは、サブフレームの第１および第２のスロットの各々の第３および第４のシンボルを占める。ＤＭＲＳパターン４００ｃは、９個、１０個のシンボルを有するＤｗＰＴＳサブフレームに関するＤＭＲＳパターンを示している。この例に示すように、ＤＭＲＳは、サブフレームの第１のスロットの第３、第４、第６および第７のシンボルを占める。
【００４９】
[0056]レガシーシステム（たとえば、Ｒｅｌ−８／９／１０）では、１次同期信号（ＰＳＳ）おおよび２次同期信号（ＳＳＳ）は、概して（たとえば、図２に示すように）サブフレーム０および５のみにおいて中央の６個のＲＢ中で送信される。１次ブロードキャストチャネル（ＰＢＣＨ）も、概して中央の６個のＲＢ中で送信されるが、サブフレーム０のみで送信される。
【００５０】
[0057]図５に、本開示のいくつかの態様による、ＬＴＥフレームにおけるＰＳＳ、ＳＳＳおよびＰＢＣＨに関する例示的なリソース構成５００を示す。図５に示すように、１０ｍｓの長さのＬＴＥフレームは一般に、各々が１ｍｓの長さを有する１０個のサブフレームに分割される。各サブフレームはさらに２つのスロット、スロット０およびスロット１に分割され得る。図示のように、ＰＳＳおよびＳＳＳは一般に、５ｍｓごとにサブフレーム０および５で送信される。ＰＳＳおよびＳＳＳは、サブフレーム０および５における第１のスロットの最後の２つのシンボルで相次いで送信される。一般にＳＳＳは、ＰＳＳの前に送信される。
【００５１】
[0058]本開示のいくつかの態様によれば、図５に示すように、１０ｍｓの境界を区別するために、２つのＳＳＳ信号、ＳＳＳ１（サブフレーム０）およびＳＳＳ２（サブフレーム５）は異なる構成を有し得る。一方、ＰＳＳ構成は固定され得る。ＰＢＣＨは１０ｍｓごとに、サブフレーム０の第２のスロットの最初の４つのシンボルで送信される。いくつかの態様によれば、上記で定義されたＰＳＳ／ＳＳＳ／ＰＢＣＨ構成はＦＤＤ送信に使用される。
【００５２】
[0059]いくつかの態様によれば、ＴＤＤ送信の場合、ＳＳＳはサブフレーム０および５の最後のシンボルで送信されてよく、ＰＳＳはサブフレーム１および６の第３のシンボルで送信されてよい。
【００５３】
[0060]図４に戻ると、いくつかの態様によれば、ＤＭＲＳは、ＰＳＳおよびＳＳＳに割り振られた同じリソース（たとえば、シンボルおよび／またはＲＥ）のうちの少なくとも一部を使用し得るので、ＰＳＳおよびＳＳＳの送信は、サブフレーム０および５においてＤＭ−ＲＳと、中央の６個のＲＢで送信されたときに衝突する可能性があり得る。たとえば、ＰＳＳおよびＳＳＳは、スロット１の最後の２つのシンボルで送信され得るので（図５参照）、（図４に示すように）同じ２つのシンボル上に割り振られ得るＤＭＲＳと衝突する可能性があり得る。
【００５４】
[0061]現在の仕様（たとえば、現在のＬＴＥ仕様）によれば、中央の６個のＲＢにＰＳＳ、ＳＳＳおよび／またはＰＢＣＨを有するサブフレームの場合、ＤＭＲＳベースのＥＰＤＣＣＨはサポートされない。したがって、ＰＳＳ、ＳＳＳまたはＰＢＣＨを含むサブフレームでは、ＵＥは、ＤＭＲＳベースのＰＤＳＣＨまたはＥＰＤＣＣＨを受信することを期待することができない。たとえば、ＵＥがＤＭＲＳベースのＥＰＤＣＣＨをサポートする場合でも、ＵＥは、ＰＳＳ、ＳＳＳまたはＰＢＣＨと重複するＤＭＲＳ  ＰＲＢを受信することを期待することができない。したがって、そのようなＵＥは、ＤＭＲＳがＰＳＳ、ＳＳＳまたはＰＢＣＨと衝突するサブフレームにおいてＤＭＲＳをドロップし得る。これはＰＤＳＣＨおよび／またはＥＰＤＣＣＨに関するパフォーマンス問題につながり得る。
【００５５】
[0062]レガシーキャリアタイプ（たとえば、Ｒｅｌ−８）の場合、サブフレーム０および５における中央の６個のＲＢによるリソースをＤＭＲＳベースのＰＤＳＣＨまたはＥＰＤＣＣＨに使用できないことは、セル固有基準信号（ＣＲＳ）ベースのＰＤＳＣＨおよびレガシーＰＤＣＣＨが依然としてこれらのリソースを利用し得るので、大きい懸念事項ではないことがある。たとえば、ＰＳＳ、ＳＳＳまたはＰＢＣＨによって使用されないＲＥは、ＣＲＳベースのＰＤＳＣＨによって使用され得る。
【００５６】
[0063]しかしながら、いくつかのレガシーシステムおよび非レガシーシステムは、ＣＲＳベースの送信に対するサポートがなく、ＤＭＲＳベースの送信のみをサポートし得る。たとえば、いくつかの態様によれば、非レガシーシステム（たとえば、Ｒｅｌ−１２）は、新しいキャリアタイプ（ＮＣＴ）を定義し得る。ＮＣＴは、たとえば、スペクトル効率の向上を実現し、異種ネットワークに対するサポートを改善し、かつ／またはエネルギー効率を改善するように設計された、独立型キャリアまたは拡張キャリアであり得る。少なくともダウンリンクで（たとえば、時分割複信（ＴＤＤ）の場合、キャリア上のダウンリンクサブフレームで）レガシー制御シグナリングおよび／またはＣＲＳが少なくとも低減または除去されて、ＮＣＴは物理層の観点から「帯域幅不可知（bandwidth agnostic）」であり得る。したがって、いくつかの態様によれば、ＮＣＴは、ＣＲＳベースのＰＤＳＣＨまたはＰＤＣＣＨをサポートしないことがあり、ＤＭＲＳベースのＰＤＳＣＨおよびＥＰＤＣＣＨのみをサポートすることがある。
【００５７】
[0064]これは、ＤＭＲＳベースのＰＤＳＣＨまたはＥＰＤＣＣＨが送信され得ない場合に、中央の６個のＲＢに関してデータ領域におけるダウンリンクサブフレーム全体（たとえば、サブフレーム０および５）が（ＰＳＳ、ＳＳＳ、およびＰＢＣＨを除いて）空であり得るので、深刻な懸念事項であり得る。これは、著しいリソース浪費につながり得る。この問題は、制御送信がＥＰＤＣＣＨに完全に依存する（すなわち、ＰＤＣＣＨに依存しない）ときに、一層顕著であり得る。加えて、システムが（たとえば、ＵＥの観点から）中央の６個のＲＢのみをサポートする場合など、狭帯域動作の場合、サブフレームがＥＰＤＣＣＨを搬送し得ないので、ＵＥは、対応するアップリンクに関してスケジュールされることはない。より大きい帯域幅の場合、ＵＬは、ＰＳＳ／ＳＳＳ／ＰＢＣＨと衝突しないＥＰＤＣＣＨでスケジュールされ得る。
【００５８】
[0065]上記のように、ＮＣＴは、（拡張として）後方互換性があるキャリアに関連付けられてよく、または独立型キャリアであってよい。いくつかの態様によれば、周波数分割複信（ＦＤＤ）の場合、新しいタイプのダウンリンクキャリアがレガシーアップリンクキャリアとリンクされ得る。ＴＤＤの場合、キャリアは、新しいタイプのダウンリンクサブフレームとレガシーアップリンクサブフレームとを含むことができる。
【００５９】
[0066]ＤＭＲＳベースの送信のみをサポートするより大きい帯域幅を伴うシステムの場合の衝突問題に対する１つの考えられる解決策は、中央の６個のＲＢでＤＭＲＳまたはＤＭＲＳベースの送信（たとえば、ＥＰＤＣＣＨ）を割り振らないことである。いくつかの態様によれば、ＥＰＤＣＣＨは、中央の６個のＲＢ以外のＲＢＳから来ることがある。しかしながら、この解決策は、狭帯域幅を伴うシステムの場合には奏効しないことがある。加えて、リソース浪費問題が依然として残る。
【００６０】
[0067]しかしながら、本開示のいくつかの態様は、ＰＳＳ、ＳＳＳまたはＰＢＣＨとの衝突を回避しつつ、ＤＭＲＳベースの送信（たとえば、ＥＰＤＣＣＨ）のためにサブフレーム０および５の中央の６個のＲＢにおけるリソースを少なくとも部分的に利用するために、ＤＭＲＳベースの送信のみをサポートするシステムのための技法を提供する。
【００６１】
[0068]いくつかの態様によれば、（たとえば、図４に示すような）ＤＭＲＳパターンは、ＰＳＳ、ＳＳＳまたはＰＢＣＨとの衝突を回避するように再定義され得る。いくつかの態様によれば、ＤＭＲＳパターンは、第１のスロットにおける第６または第７のシンボルから第１のスロットにおける第２または第３のシンボルに移動し得る。代替態様では、ＤＭＲＳパターンは、第１のスロットにおける第３および第４のシンボルに移動し得る。
【００６２】
[0069]いくつかの態様によれば、パンクチャ化ＤＭＲＳパターンが使用され得る。パンクチャ化ＤＭＲＳパターンは、サブフレーム０および５における中央の６個のＲＢで、ただし、第２のスロットにおける第６および第７のシンボルにおけるＤＭＲＳに基づいてのみ、ＤＭＲＳベースのＥＰＤＣＣＨ送信を可能にし得る。
【００６３】
[0070]いくつかの態様によれば、ＰＳＳまたはＳＳＳはＥＰＤＣＣＨによってパンクチャされ得る（言い換えれば、本来であればＰＳＳまたはＳＳＳに使用されていたであろうリソースがＥＰＤＣＣＨに使用され得る）。いくつかの態様によれば、ＥＰＤＣＣＨは、ＰＳＳまたはＳＳＳによって使用される中央の６個のＲＢのいくつかで送信が許容されてよく、その場合にＥＰＤＣＣＨは、これらのＲＢにおけるＰＳＳおよびＳＳＳを無効にすることになる。いくつかの態様によれば、ＰＳＳおよび／またはＳＳＳは、残存ＲＢに依存し得る。
【００６４】
[0071]いくつかの態様によれば、（たとえば、図５に示すような）ＰＳＳ、ＳＳＳおよびＰＢＣＨのパターンは、たとえば、少なくともＮＣＴ向けに再設計され得る。いくつかの態様によれば、ＰＳＳ、ＳＳＳおよび／またはＰＢＣＨのためのリソース割振りは、ＤＭＲＳおよびＤＭＲＳベースの送信（たとえば、ＥＰＤＣＣＨ）との衝突を回避するように再定義され得る。たとえば、ＰＢＣＨは、第１のスロットにおける最初の４つのシンボルに移動し得る。ＰＳＳおよびＳＳＳは、第２のスロットにおける第３および第４のシンボルに移動し得る。いくつかの態様によれば、後方互換性があるキャリアおよび新しいキャリアにおけるＰＳＳおよびＳＳＳの異なる配置は、ＵＥによる新しいタイプのキャリアの早期検出を助けることができる。加えて、新しい配置は、レガシーＵＥが新しいキャリアにアクセスするのを阻むこともできる。
【００６５】
[0072]いくつかの態様によれば、クロスキャリアスケジューリングが用いられ得る。いくつかの態様によれば、ＥＰＤＣＣＨ問題を有するキャリアは、別のキャリアによってクロスキャリアスケジュールされ得る。たとえば、１．４ＭＨｚキャリアが５ＭＨｚの別のキャリアによって、両方のキャリアがＵＥ用に構成されているときにクロスキャリアスケジュールされ得る。しかしながら、クロスキャリアスケジューリングはアップリンクスケジューリング懸念に対処し得るものの、ダウンリンクＰＤＳＣＨに関する懸念には依然として対処していないことが認められ得る。ダウンリンクＰＤＳＣＨの場合、上述の技法のうちの１つまたは複数が使用される必要があり得る。加えて、中央の６個のＲＢが依然として浪費される。
【００６６】
[0073]図６に、本開示のいくつかの態様による、ＥＰＤＣＣＨを監視し復号するためにユーザ機器（ＵＥ）によって実行され得る例示的な動作６００を示す。動作６００は６０２において、サブフレームにおけるＥＰＤＣＣＨの少なくとも１つの復号候補を決定することによって始まり得る。６０４においてＵＥは、少なくとも１つのＥＰＤＣＣＨ復号候補に対応するリソースが、サブフレームにおけるＰＳＳ、ＳＳＳまたはＰＢＣＨのうちの少なくとも１つを送信するために使用されるリソースと衝突する可能性があり得るかどうかを決定することができる。６０６においてＵＥは、リソース衝突の可能性の決定に基づいて少なくとも１つのＥＰＤＣＣＨ復号候補を処理することができる。
【００６７】
[0074]いくつかの態様によれば、ＵＥはＥＰＤＣＣＨリソースの構成を受信し、受信された構成に基づいて少なくとも１つのＥＰＤＣＣＨ復号候補を決定することができる。さらに、ＵＥは受信された構成に基づいて、少なくとも１つのＥＰＤＣＣＨ復号候補に対応するリソースを決定することができる。
【００６８】
[0075]いくつかの態様によれば、ＵＥはリソース衝突の可能性の決定に少なくとも部分的に基づいて、少なくとも１つのＥＰＤＣＣＨ復号候補の有効性を決定することができる。いくつかの態様によれば、ＵＥは少なくとも１つのＥＰＤＣＣＨ復号候補を、候補に対応するリソースが、ＰＳＳ、ＳＳＳ、またはＰＢＣＨのうちの少なくとも１つによって使用されるリソースと衝突する可能性がない場合に、有効な候補と宣言することができる。いくつかの態様によれば、ＥＰＤＣＣＨ候補を処理することは、ＥＰＤＣＣＨ復号候補を、有効な候補であると決定された場合にのみ監視し復号することを含み得る。
【００６９】
[0076]いくつかの態様によれば、ＵＥはＥＰＤＣＣＨ候補を、候補に対応するリソースが、ＰＳＳ、ＳＳＳまたはＰＢＣＨのうちの少なくとも１つによって使用されるリソースと衝突する可能性がある場合に、無効な候補と宣言することができる。いくつかの態様によれば、ＥＰＤＣＣＨ候補を処理することは、特定の候補について、無効な候補であると決定された場合に監視しないことを含み得る。
【００７０】
[0077]いくつかの態様によれば、ＥＰＤＣＣＨ候補に対応するリソースが、ＰＳＳ、ＳＳＳまたはＰＢＣＨのうちの少なくとも１つを送信するために使用されるリソースと衝突する可能性があり得るかどうかを決定することは、候補およびＰＳＳ、ＳＳＳまたはＰＢＣＨのうちの少なくとも１つが同じリソースを使用するかどうかを、ＥＰＤＣＣＨ復号候補に対応するリソースとＰＳＳ、ＳＳＳまたはＰＢＣＨのうちの少なくとも１つを送信するために使用されるリソースとの比較に基づいて決定することを含み得る。
【００７１】
[0078]いくつかの態様によれば、ＥＰＤＣＣＨ候補に対応するリソースが、ＰＳＳ、ＳＳＳまたはＰＢＣＨのうちの少なくとも１つを送信するために使用されるリソースと衝突する可能性があり得るかどうかを決定することは、ＥＰＤＣＣＨ候補およびＰＳＳ、ＳＳＳまたはＰＢＣＨのうちの少なくとも１つが同じ物理リソースブロック（ＰＲＢ）ペアを使用するかどうかを、ＥＰＤＣＣＨリソースに関連するＰＲＢペアのセットとＰＳＳ、ＳＳＳまたはＰＢＣＨのうちの少なくとも１つを送信するために使用されるＰＲＢペアのセットとの比較に基づいて決定することを含み得る。
【００７２】
[0079]いくつかの態様によれば、少なくとも１つのＥＰＤＣＣＨ復号候補に対応するリソースは、ＰＳＳ、ＳＳＳまたはＰＢＣＨのうちの少なくとも１つの送信に使用されるＰＲＢペアのセットのうちの少なくとも１つのＰＲＢペアを含む。いくつかの態様によれば、少なくとも１つのＰＲＢペアは、ＰＳＳ、ＳＳＳまたはＰＢＣＨのうちの少なくとも１つに割り当てられた少なくとも１つのＰＲＢペアにおけるリソースが、ＥＰＤＣＣＨ送信のために割り当てられないように、またＰＳＳ、ＳＳＳまたはＰＢＣＨのうちの少なくとも１つに割り当てられていない少なくとも１つのＰＲＢペアにおけるリソースが、ＥＰＤＣＣＨ送信のために割り当てられるように、割り当てられる。
【００７３】
[0080]いくつかの態様によれば、少なくとも１つのＥＰＤＣＣＨ復号候補は、ＤＭＲＳに基づいており、候補に対応するリソースは、ＤＭＲＳによって使用されるリソースを含む。いくつかの態様によれば、２つのスロットからなるサブフレームにおいて、ＤＭＲＳは、ＰＳＳまたはＳＳＳのうちの少なくとも１つと同じスロットにおいてＰＳＳまたはＳＳＳのうちの少なくとも１つによって占められていない少なくとも１つのシンボルに位置する。いくつかの態様によれば、ＤＭＲＳは、ＰＳＳまたはＳＳＳのうちの少なくとも１つによって占められていないシンボルにのみ位置する。いくつかの態様によれば、ＤＭＲＳは少なくとも、レガシータイプのＰＳＳまたはＳＳＳのうちの少なくとも１つによって当初占められていた１つのシンボルに位置する。
【００７４】
[0081]いくつかの態様によれば、第１のキャリアで送信をスケジュールしている少なくとも１つのＥＰＤＣＣＨ復号候補は、第１のキャリアとは異なる第２のキャリアで送信される。
【００７５】
[0082]図７に、本開示のいくつかの態様による、ＥＰＤＣＣＨを送信するために基地局（ＢＳ）によって実行され得る例示的な動作７００を示す。動作７００は７０２において、ＢＳが、サブフレームにおける拡張された物理ダウンリンク制御チャネル（ＥＰＤＣＣＨ）を送信する場合の復号候補のセットの各々に関する衝突可能性状態を決定することで始まり得る。７０４においてＢＳは、決定に基づいてＥＰＤＣＣＨ復号候補のうちの少なくとも１つを選択することができる。７０６においてＢＳは、選択されたＥＰＤＣＣＨ復号候補でＥＰＤＣＣＨを送信する。
【００７６】
[0083]いくつかの態様によれば、ＢＳは少なくとも１つの復号候補を、候補に対応するリソースが、サブフレームにおけるＰＳＳ、ＳＳＳ、またはＰＢＣＨのうちの少なくとも１つを送信するために使用されるリソースと衝突しない場合に、選択する。いくつかの態様では、ＢＳが衝突可能性状態を決定することは、ＥＰＤＣＣＨ復号候補およびＰＳＳ、ＳＳＳまたはＰＢＣＨのうちの少なくとも１つが同じリソースを使用するかどうかを、ＥＰＤＣＣＨ復号候補に対応するリソースとＰＳＳ、ＳＳＳまたはＰＢＣＨのうちの少なくとも１つを送信するために使用されるリソースとの比較に基づいて決定することを含み得る。
【００７７】
[0084]いくつかの態様によれば、衝突可能性状態を決定することは、ＥＰＤＣＣＨ復号候補およびＰＳＳ、ＳＳＳまたはＰＢＣＨのうちの少なくとも１つが同じＰＲＢペアを使用するかどうかを、ＥＰＤＣＣＨリソースに関連するＰＲＢペアのセットとＰＳＳ、ＳＳＳまたはＰＢＣＨのうちの少なくとも１つを送信するために使用されるＰＲＢペアのセットとの比較に基づいて決定することを含み得る。
【００７８】
[0085]いくつかの態様では、少なくとも１つのＥＰＤＣＣＨ復号候補に対応するリソースは、ＰＳＳ、ＳＳＳまたはＰＢＣＨのうちの少なくとも１つの送信に使用されるＰＲＢペアのセットのうちの少なくとも１つのＰＲＢペアを含む。一態様では、少なくとも１つのＰＲＢペアは、ＰＳＳ、ＳＳＳまたはＰＢＣＨのうちの少なくとも１つに割り当てられた少なくとも１つのＰＲＢペアにおけるリソースが、ＥＰＤＣＣＨ送信のために割り当てられないように、またＰＳＳ、ＳＳＳまたはＰＢＣＨのうちの少なくとも１つに割り当てられていない少なくとも１つのＰＲＢペアにおけるリソースが、ＥＰＤＣＣＨ送信のために割り当てられるように、スケジュールされる。
【００７９】
[0086]いくつかの態様によれば、少なくとも１つのＥＰＤＣＣＨ復号候補は、ＤＭＲＳに基づいており、少なくとも１つのＥＰＤＣＣＨ復号候補に対応するリソースは、ＤＭＲＳによって使用されるリソースを備える。一態様では、２つのスロットからなるサブフレームにおいて、ＤＭＲＳは、ＰＳＳまたはＳＳＳのうちの少なくとも１つと同じスロットにおいてＰＳＳまたはＳＳＳのうちの少なくとも１つによって占められていない少なくとも１つのシンボルに位置する。一態様では、ＤＭＲＳは、ＰＳＳまたはＳＳＳのうちの少なくとも１つによって占められていないシンボルにのみ位置する。一態様では、ＤＭＲＳは少なくとも、レガシータイプのＰＳＳまたはＳＳＳのうちの少なくとも１つによって当初占められていた１つのシンボルに位置する。
【００８０】
[0087]いくつかの態様によれば、各ＥＰＤＣＣＨ復号候補に対応するリソースは、少なくとも１つのＰＲＢを含む。一態様では、ＰＳＳ、ＳＳＳまたはＰＢＣＨのうちの少なくとも１つを送信するために使用されるリソースは、少なくとも１つのＰＲＢを含む。
【００８１】
[0088]情報および信号は様々な異なる技術および技法のいずれかを使用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８２】
[0089]さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【００８３】
[0090]本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００８４】
[0091]本明細書の開示に関して説明した方法またはアルゴリズムのステップは、直接ハードウェアで実施されるか、プロセッサによって実行されるソフトウェア／ファームウェアモジュールで実施されるか、またはその２つの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および／または記憶媒体に情報を書き込むことができるように、プロセッサに結合される。代替として、記憶媒体はプロセッサに一体化することができる。プロセッサおよび記憶媒体はＡＳＩＣ中に存在することができる。ＡＳＩＣは、ユーザ端末内に存在することができる。代替として、プロセッサおよび記憶媒体は、ユーザ端末内に個別構成要素として存在することもできる。一般に、図に示す動作がある場合、それらの動作は、同様の番号をもつ対応するカウンターパートのミーンズプラスファンクション構成要素を有し得る。
【００８５】
[0092]１つまたは複数の例示的な設計では、説明した機能は、ハードウェア、ソフトウェア／ファームウェア、またはそれらの組合せで実装され得る。ソフトウェア／ファームウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（ｄｉｓｋ）およびディスク（ｄｉｓｃ）は、通常はディスク（ｄｉｓｋ）が磁気的にデータを再生し、一方、ディスク（ｄｉｓｃ）がレーザによって光学的にデータを再生する場合に、コンパクトディスク（ＣＤ）、レーザディスク、光ディスク、デジタル多用途ディスク（ＤＶＤ）、フロッピー（登録商標）ディスク、およびブルーレイ（登録商標）ディスクを含む。上記の組合せもコンピュータ可読媒体の範囲内に含めるべきである。
【００８６】
[0093]本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
【図１】
2015508255.tif 000003
【図２】
2015508255.tif 000004
【図２Ａ】
2015508255.tif 000005
【図３】
2015508255.tif 000006
【図４】
2015508255.tif 000007
【図５】
2015508255.tif 000008
【図６】
2015508255.tif 000009
【図７】
2015508255.tif 000010
【国際調査報告】
2015508255.tif 000011
2015508255.tif 000012